(57)【特許請求の範囲】
【請求項１】
機器本体ケース内に、機器ユニットが着脱可能に取り付けられる電子機器における機器ユニットの着脱構造であって、
前記機器本体ケースは、上側に、前記機器ユニットを前記機器本体ケース内に着脱可能に収納するための開口部分を有し、
前記機器ユニットは、前記機器本体ケースの幅にほぼ等しい幅を有するとともに、各側部に前記機器ユニットの幅方向に延びる被案内リブが設けられる一方、前記機器本体ケースの内壁面であって前記側部に対応する内壁面に、前記機器ユニットを前記機器本体ケースに収納する際に前記被案内リブをユニット収納方向に案内する案内凸部が形成され、
前記案内凸部は前記被案内リブと係合して、前記機器ユニットの幅方向に直交する方向において一方側への動きを規制する部分と、前記機器ユニットの幅方向に直交する方向において他方側への動きを規制する部分とを有し、
前記機器ユニットに、前記機器本体ケースへの収納の際に把持する把持部が設けられ、
前記機器本体ケース内に、前記機器ユニットの収納完了状態で、前記幅方向にほぼ直交する方向に延びる前記機器ユニットの側部を係止する係止部が前記機器本体ケースの内底面から突出して設けられ、
前記係止部は、前記機器本体ケースの内底面との間で前記機器ユニットを挟む部分を有し、
前記機器本体ケース内には、前記係止部を挟んで前記機器ユニットとは反対側に別の機器ユニットが収納され、前記機器ユニットと別の機器ユニットとを接続する接続コードが前記係止部の、前記幅方向側方を通過する構成とされ、
前記機器本体ケース内への、前記機器ユニットの収納完了状態で、前記機器ユニットと機器本体ケースとの幅がほぼ等しいことで前記機器ユニットの幅方向の動きが、前記被案内リブと案内凸部との係合関係によって前記機器ユニットの幅方向に直交する方向の動きが、前記係止部によって前記機器ユニットの前記開口部分側への動きがそれぞれ規制されることを特徴とする電子機器における機器ユニットの着脱構造。
【請求項２】
前記係止部は、前記機器本体ケースの内底面から突出する縦板部と、この縦板部の先端に設けられた爪部とを有し、
前記機器ユニットに、前記機器ユニットの収納完了状態で前記係止部の爪部によって係脱可能に係止される被係止部あるいは被係止凹部が形成されていることを特徴とする請求項１記載の電子機器における機器ユニットの着脱構造。
【請求項３】
前記把持部は、外方に突出した鍔形状の突出片部であることを特徴とする請求項２記載の電子機器における機器ユニットの着脱構造。
【請求項４】
前記係止部に並んで、前記機器ユニットに当接する当接部が設けられ、前記係止部や当接部に対向する、前記機器本体ケースの内壁面に、前記機器ユニットに当接する面当て部が設けられていることを特徴とする請求項１〜３のいずれかに記載の電子機器における機器ユニットの着脱構造。
【発明の詳細な説明】
【技術分野】
【０００１】
本発明は、光受信機、補償用ブースタなどの電子機器における機器ユニットの着脱構造に関するものである。
【背景技術】
【０００２】
一般に、電子機器の一つである光受信機は、図６（ａ）（ｂ）に示すように、光ファイバ１０１を通じて入力されるテレビ放送信号用の光信号を、光受信機１０２にてテレビ放送信号用の電気信号に変換し、同軸ケーブル１０３を介してＴＶ受信機１０４に供給するものである。図６（ａ）は電源コンセント（図示せず）が光受信機の近傍にある場合で、電源ユニット１０５（電源コード１０５ａ）を光受信機１０２の機器本体ケース内に内蔵して使用され、光受信機１０２のＦ型接栓１０２ａより同軸ケーブル１０３を介してＴＶ受信機１０４にテレビ放送信号用の電気信号を供給する。図６（ｂ）は、電源コンセント（図示せず）が光受信機１０２の設置場所の近傍にない場合で、電源ユニット１０５を光受信機１０２の機器本体ケース内より取り外して、光受信機１０２とＴＶ受信機１０４との間で電源コンセントがある場所の近傍に配置され、電源ユニット１０５のＦ型接栓１０５ｂに同軸ケーブル１０３ａを介して、光受信機１０２のＦ型接栓１０２ａからの電気信号が電源ユニット１０５に入力され供給される。電源ユニット１０５のＦ型接栓１０５ｃから電気信号が出力されて、ＴＶ受信機１０４に供給される。したがって、電源ユニット１０５の前記機器本体ケースからの脱着はできるだけ簡単かつ確実であることが求めらる。なお、同軸ケーブル１０３ａを介して、電源ユニット１０５から光受信機１０２に前記電気信号に重畳して光受信機１０２の動作用電力が供給される。
【０００３】
従来、機器ユニット、例えばケース本体（機器本体ケース）内に電源部（電源ユニット）を収納する構造として、前記電源部の一方の側部に外部操作可能な可動フックを、他方の側部に固定爪をそれぞれ設ける一方、機器本体ケースに前記可動フック及び固定フックに対応してそれらを係止する係止部を設け、前記可動フックの外部操作により前記係止爪との結合を解除して前記電源部を前記ケース本体から取り出せるように構成したものが知られている（例えば、特許文献１参照）。
【０００４】
また、電源部をケース本体内に収納する際には、電源部をケース本体内に収納して下方にスライドさせ、電源部の両側面の突部がケース本体の突起に係合させるようにしたものも知られている（例えば、特許文献２参照）。
【特許文献１】特開２００６−１１５３３２号公報（段落００１８〜００２１及び図３）
【特許文献１】特開２００３−２８９１８８号公報（段落００１６及び図５）
【発明の開示】
【発明が解決しようとする課題】
【０００５】
上記特許文献１，２記載のものでは、いずれも可動フックの外部操作や電源ユニットのスライド操作など、構成要素の可動を必要とするため、構造が複雑となり、電源ユニットの外観を損なうおそれもある。
【０００６】
この発明は、構造が簡単で、機器ユニットの脱着が簡単かつ確実である電子機器における機器ユニットの着脱構造を提供することを目的とする。
【課題を解決するための手段】
【０００７】
請求項１の発明は、機器本体ケース内に、機器ユニットが着脱可能に取り付けられる電子機器における機器ユニットの着脱構造であって、前記機器本体ケースは、上側に、前記機器ユニットを前記機器本体ケース内に着脱可能に収納するための開口部分を有し、前記機器ユニットは、前記機器本体ケースの幅にほぼ等しい幅を有するとともに、各側部に前記機器ユニットの幅方向に延びる被案内リブが設けられる一方、前記機器本体ケースの内壁面であって前記側部に対応する内壁面に、前記機器ユニットを前記機器本体ケースに収納する際に前記被案内リブをユニット収納方向に案内する案内凸部が形成され、前記案内凸部は前記被案内リブと係合して、前記機器ユニットの幅方向に直交する方向において一方側への動きを規制する部分と、前記機器ユニットの幅方向に直交する方向において他方側への動きを規制する部分とを有し、前記機器ユニットに、前記機器本体ケースへの収納の際に把持する把持部が設けられ、前記機器本体ケース内に、前記機器ユニットの収納完了状態で、前記幅方向にほぼ直交する方向に延びる前記機器ユニットの側部を係止する係止部が前記機器本体ケースの内底面から突出して設けられ、前記係止部は、前記機器本体ケースの内底面との間で前記機器ユニットを挟む部分を有し、前記機器本体ケース内には、前記係止部を挟んで前記機器ユニットとは反対側に別の機器ユニットが収納され、前記機器ユニットと別の機器ユニットとを接続する接続コードが前記係止部の、前記幅方向側方を通過する構成とされ、前記機器本体ケース内への、前記機器ユニットの収納完了状態で、前記機器ユニットと機器本体ケースとの幅がほぼ等しいことで前記機器ユニットの幅方向の動きが、前記被案内リブと案内凸部との係合関係によって前記機器ユニットの幅方向に直交する方向の動きが、前記係止部によって前記機器ユニットの前記開口部分側への動きがそれぞれ規制されることを特徴とする。ここで、機器ユニットは、必要に応じて脱着するものであればよく、電源ユニットや視聴の制御ユニット等が含まれる。また、案内凸部と被案内リブとは、凹部と凸部との関係で案内するものでもよいし、凸部どうしがスライド可能に接触することで案内するものでもよい。
【０００８】
このようにすれば、機器ユニットの把持部を把持して、被案内部と案内部との関係で、機器ユニットが機器本体ケース内に位置決め精度よく収納され、その収納により、機器ユニットが係止部によって簡単かつ確実に係止される。また、把持部を把持して、被案内部と案内部との関係で収納するので、収納操作が容易であり、係止部による係止を解除することで、把持部を把持して取り出せるので、取り出し操作も容易である。
【０００９】
請求項２に記載のように、前記係止部は、前記機器本体ケースの内底面から突出する縦板部と、この縦板部の先端に設けられた爪部とを有し、前記機器ユニットに、前記爪部によって係脱可能に係止される被係止部あるいは被係止凹部が形成されている構成とすることができる。
【００１０】
このようにすれば、係止部の弾性を利用して、機器ユニットの係止が確実になされる。
【００１１】
請求項３に記載のように、前記把持部は、外方に突出した鍔形状の突出片部であることが望ましい。
【００１２】
このようにすれば、把持部を把持することで、機器ユニットの把持が容易となり、機器ユニットの装着・取り外しが簡単に行える。
【００１３】
請求項４に記載のように、前記係止部に並んで、前記機器ユニットに当接する当接部が設けられ、前記係止部や当接部に対向する、前記機器本体ケースの内壁面に、前記機器ユニットに当接する面当て部が設けられている構成とすることもできる。
【００１４】
このようにすれば、機器ユニットは当接部と面当て部とに挟持されるので、前記幅方向にほぼ直交する方向における前記機器ユニットのがたつきが防止される。
【発明の効果】
【００１５】
本発明は、機器ユニットの被案内部と機器本体ケースの案内部との係合関係で、機器ユニットを機器本体ケース内に位置決め精度よく収納し、その収納完了により、機器ユニットを係止部によって係止するようにしているので、機器ユニットを機器本体ケース内の所定の位置に簡単かつ確実に係止することができる。また、機器ユニットに被案内部や把持部を設けるだけであるので、機器ユニットの外観を損ねるおそれもない。
【発明を実施するための最良の形態】
【００１６】
以下、本発明の実施の形態を図面に沿って説明する。
【００１７】
図１は本発明に係る電子機器の一例である光受信機を示し、図１（ａ）は正面図、図１（ｂ）は側面図、図１（ｃ）は底面図、図２は本発明に係る電子機器の一例である光受信機の一部を省略して示す分解斜視図である。
【００１８】
図１及び図２に示すように、本発明に係る電子機器の一例である光受信機１１は、合成樹脂製の機器本体ケース１２と、この機器本体ケース１２の上側左右側部に、上側左右側部の取付フランジ部１３ａが回転可能に支持される合成樹脂製の蓋体１３とを有する。機器本体ケース１２は一面が開放された直方体の箱形形状で、取付状態で上側となる機器本体ケース１２の上側には１つの取付フランジ部１２ａが、下側には３つの取付フランジ部１２ｂがそれぞれ設けられている。
【００１９】
機器本体ケース１２の側面部１２Ａ（取付状態で下面となる側面部で、取付フランジ部１２ｂが設けられている部分）には、電源ユニット２１からの電源コード２１ａが導き出される切り欠き部１２Ａａが形成されている。
【００２０】
また、側面部１２Ａには、切り欠き部１２Ａａと並んで、発光ダイオード３３の点灯状態を確認するための窓部には、防水カバー部材１５が２つの固定ねじ１６Ａ，１６Ｂにて設けられている。この防水カバー部材１５は、透光可能な材料（例えばアクリル樹脂）で形成され、窓部の防水カバー部材１５を通じて内部を見ることにより、発光ダイオード（図示せず）の点灯状態が目視により分かる構成となっている。また、前記窓部を挟んで、切り欠き部１２Ａａと反対側に３つの開孔１２Ａｃが形成されている。３つの開孔１２Ａｃのうち前記窓部とは、反対側の２つの開孔１２Ａｃを通じて、光受信機本体ユニット２３（図２の光受信機本体ユニット収納部Ｓに収納される）に設けられた２つのＦ型接栓２４が突出し、図示しない同軸ケーブルのＦ型コネクタが接続される構成となっている。なお、切り欠き部１２Ａａ及び開孔１２Ａｃについても、具体的には図示していないが、防水カバー部材１５による防水性能と同程度の防水性能を確保できるようにシール手段が施されている。
【００２１】
さらに、図２〜図５に沿って構造について詳述する。
【００２２】
機器本体ケース１２内には、電源ユニット２１と、この電源ユニット２１から電力が供給される光受信機本体ユニット２３とが並んで収納され、それらの上側の開口部分が光ファイバトレイ２５によって閉塞される構成となっている。なお、前記電源ユニット２１のコンセント部２１ｅに、接続コード２２の一端部に設けられたプラグ２２ａが差し込まれ、この接続コードの他端部に設けられたプラグ（図示せず）が光受信機本体ユニット２３のコンセント部に差し込まれることで、電源ユニット２１から光受信機本体ユニット２３に電力が供給される。
【００２３】
電源ユニット２１の電源コード２１ａは切り欠き部１２Ａａを通じて外部に導出される。また、光受信機本体ユニット２３の側面部から突出するＦ型接栓２４は、開孔１２Ａｃを通じて、外部に突出するようになっている。
【００２４】
電源ユニット２１は、機器本体ケース１２の幅Ｗにほぼ等しい幅を有するとともに、前記幅の方向に延びる各側部に被案内リブ２１ｂ（被案内部）が２つずつ平行に設けられている。一方、機器本体ケース１２の内壁面であって前記幅の方向の側部に対応する内壁面に、案内凸部１２ｃが２つずつ平行に形成され、電源ユニット２１を機器本体ケース１２内の所定の収納場所に収納する際に、被案内リブ２１ｂと案内凸部１２ｃとの係合関係で電源ユニット２１をユニット収納方向に案内するようになっている。案内凸部１２ｃは被案内リブ２１ｂよりも長さが長く、被案内リブ２１ｂの内側に位置するようになっている。
【００２５】
また、機器本体ケース１２内に、電源ユニット２１の収納完了状態で、前記幅方向にほぼ直交する方向に延びる電源ユニット２１を係止する係止部１２ｄが設けられている。この係止部１２ｄは、機器本体ケース１２の内底面から突出する縦板部１２ｄａと、この縦板部１２ｄａの先端に設けられ先端になるほど幅が狭くなっているテーパ形状の爪部１２ｄｂとを有する。そして、電源ユニット２１に、爪部１２ｄｂによって係脱可能に係止される被係止凹部２１ｃが形成されている。
【００２６】
また、係止部１２ｄに並んで、電源ユニット２１の側部に当接する当接部１２ｅが立設されている。係止部１２ｄや当接部１２ｅに対向する、機器本体ケース１２の内壁面には、電源ユニット２１の側部に当接する面当てリブ１２ｆ（面当て部）が２つ設けられている。
【００２７】
さらに、電源ユニット２１は、外方に突出した鍔状の突出片部２１ｄを把持部として備え、爪部１２ｄｂと被係止凹部２１ｃとの係合を解除して、突出片部２１ｄを把持して電源ユニット２１を、機器本体ケース１２から離れる方向に持ち上げることで、電源ユニット２１を簡単に取り外すことができるようになっている。
【００２８】
上記のように構成すれば、電源ユニット２１の突出片部２１ｄを把持して、電源ユニット２１を機器本体ケース１２に収納すると、機器本体ケース１２の幅Ｗにほぼ等しい幅を有することと、被案内リブ２１ｂと案内凸部１２ｃとの係合関係で、電源ユニット２１が所定の方向に無理なく案内されつつ機器本体ケース１２内の所定の位置に収納される。この収納の際には、電源ユニット２１の側部との接触により係止部１２ｄの爪部１２ｄｂが電源ユニット２１から離れるように縦板部１２ｄａが撓む。そして、電源ユニット２１が機器本体ケース１２の内底面に達して収納が完了すると、係止部１２ｄがそれ自体の有する樹脂弾性によって初期状態に復帰し、電源ユニット２１の被係止凹部２１ｃに係止部１２ｄの爪部１２ｄｂが係脱可能に係合する。これによって、１つの係止部１２ｄによって電源ユニット２１が機器本体ケース１２の所定の収納位置に係止される。
【００２９】
この係止状態では、電源ユニット２１の動きは、幅方向においては機器本体ケース１２の幅Ｗにほぼ等しい幅を有することと、被案内リブ２１ｂと案内凸部１２ｃとが係合していることで規制される。また、幅方向に直交する方向においては、係止部１２ｄの爪部１２ｄｂと電源ユニット２１の係合凹部２１ｃとの係合部分や当接部１２ｅと、面当てリブ１２ｆとの間に電源ユニット２１を挟持していることで規制される。よって、電源ユニット２１は、収納状態では不用意にがたつくことがない。
【００３０】
また、電源ユニット２１を機器本体ケース１２内から取り出す場合には、係止部１２ｄの爪部１２ｄｂと被係止凹部２１ｃとの係合を解除する方向に係止部１２ｄを撓ませ、突出片部２１ｄを把持して電源ユニット２１を、機器本体ケース１２から離れる方向に持ち上げることで、電源ユニット２１を簡単に取り外すことができる。
【００３１】
前記実施の形態では、係止部１２ｄで電源ユニット２１の被係止凹部２１ｃを係止するようにしているが、そのような被係止凹部を設けることなく、係止部の爪部１２ｄｂで機器ユニット（電源ユニット２１）の上面をそのまま係止する構成とすることも可能である。
【００３２】
また、被案内部である被案内リブ２１ｂを案内する案内部は、被案内リブ２１ｂの一面に接触して電源ユニット２１の挿入（収納）を案内する案内凸部１２ｃとしているが、そのほか、１対の凸部の間に被案内リブ２１ｂがスライド可能に嵌合する案内凹部としたり、機器本体ケース１２の内壁面より窪んで形成された案内溝部としてもよい。また、電源ユニット２１側に、被案内リブに代えて、案内溝部あるいは案内凹部を設け、機器本体ケース側に被案内リブあるいは案内凸部を設ける構成とすることも可能である。
【図面の簡単な説明】
【００３３】
【図１】本発明に係る電子機器の一例である光受信機を示し、図１（ａ）は正面図、図１（ｂ）は側面図、図１（ｃ）は底面図である。
【図２】本発明に係る電子機器の一例である光受信機の一部を省略して示す分解斜視図である。
【図３】同分解斜視図である。
【図４】電源ユニットが機器本体ケース内に取り付けられた状態を示す平面図である。
【図５】図４のＡ−Ａ線における断面図である。
【図６】図６（ａ）は電源ユニットを機器本体ケース内に設けた場合の説明図、図６（ｂ）は電源ユニットを機器本体ケース外に設けた場合の説明図である。
【符号の説明】
【００３４】
１１    光受信機
１２    機器本体ケース
１２ｃ    案内凸部（案内部）
１２ｄ    係止部
１２ｄａ    縦板部
１２ｄｂ    爪部
１２ｅ    当接部
１２ｆ    面当てリブ（面当て部）
２１    電源ユニット
２１ａ    電源コード
２１ｂ  被案内リブ（被案内部）
２１ｃ    被係止凹部
２１ｄ    突出片部
【図１】
0004785632.tif 000002
【図２】
0004785632.tif 000003
【図３】
0004785632.tif 000004
【図４】
0004785632.tif 000005
【図５】
0004785632.tif 000006
【図６】
0004785632.tif 000007